(57)【特許請求の範囲】
【請求項１】
植物性材料をバインダにより集成接着した板状の芯材層と、
前記芯材層の一面に積層された木材のスライス板と、を備えた木質ボードであって、
本木質ボードの一側端には、一面側から所定深さまで切りかかれた第１切り欠き部があり、
前記第１切り欠き部は、その断面が略四角形状をなし、
前記第１切り欠き部には、その切り欠き形状に沿う形態で、角柱状の第１木材を削ることによって形成された断面略Ｌ字状の第１端末処理部材が配されており、
前記一側端と反対側の他側端には、一面側から所定深さまで切りかかれた第２切り欠き部があり、
前記第２切り欠き部は、その断面が略四角形状をなし、
前記第２切り欠き部には、その切り欠き形状に沿う形態で、角柱状の第２木材を削ることによって形成された断面略Ｌ字状の第２端末処理部材が配されていることを特徴とする木質ボード。
【請求項２】
前記一側端と反対側の他側端は、前記第１端末処理部材により処理された前記一側端の段状の形状に組み合わせ可能な段状の形状である請求項１に記載の木質ボード。
【請求項３】
植物性材料をバインダにより集成接着した板状の芯材層と、
前記芯材層の一面に積層された木材のスライス板と、を備えた木質ボードであって、
本木質ボードの一側端には、一面側から所定深さまで切りかかれた第１切り欠き部があり、
前記第１切り欠き部は、その断面が略四角形状をなし、
前記第１切り欠き部には、その切り欠き形状に沿う形態で、角柱状の第１木材を削ることによって形成された断面略Ｌ字状の第１端末処理部材が配されており、
前記一側端と反対側の他側端には、前記第１端末処理部材と組み合わせ可能な凸形状を有する第３端末処理部材を有し、前記第３端末処理部材は角柱状の無垢材からなることを特徴とする木質ボード。
【請求項４】
前記第３端末処理部材のうちの前記一端側の端部は、前記芯材層に埋設されている請求項３に記載の木質ボード。
【請求項５】
木質ボードの製造方法であって、
木材のスライス板の端部に、角柱状の第１木材を配置する木材配置工程と、
前記スライス板及び前記第１木材上に、バインダを含む植物性材料を載せる載積工程と、
前記バインダを含む植物性材料を圧縮して、植物性材料をバインダにより集成接着した板状の芯材層を形成し、板状体とする板状体作製工程と、
前記板状体の端部において、前記第１木材を断面略Ｌ字状になるように切削しつつ、前記板状体の端部に段状部を形成して端部処理する端部処理工程と、を備えた木質ボードの製造方法。
【請求項６】
木質ボードの製造方法であって、
木材のスライス板の一端部に、角柱状の第１木材を配置し、一端部とは反対側の他端部に、角柱状の第２木材を配置する木材配置工程と、
前記スライス板、前記第１木材及び前記第２木材上に、バインダを含む植物性材料を載せる載積工程と、
前記バインダを含む植物性材料を圧縮して、植物性材料をバインダにより集成接着した板状の芯材層を形成し、板状体とする板状体作製工程と、
前記板状体の一端部及び他端部において、前記第１木材及び前記第２木材を断面略Ｌ字状になるように切削しつつ、前記板状体の一端部及び他端部に段状部を形成して端部処理する端部処理工程と、を備えた木質ボードの製造方法。
【請求項７】
木質ボードの製造方法であって、
木材のスライス板の一端部に、角柱状の第１木材を配置し、一端部とは反対側の他端部に、角柱状の第２木材を配置する木材配置工程と、
前記スライス板、前記第１木材及び前記第２木材上に、バインダを含む植物性材料を載せる載積工程と、
前記バインダを含む植物性材料を圧縮して、植物性材料をバインダにより集成接着した板状の芯材層を形成し、板状体とする板状体作製工程と、
前記板状体の一端部において、前記第１木材を断面略Ｌ字状になるように切削しつつ、前記板状体の端部に段状部を形成し、更に、前記板状体の他端部において、前記芯材層を切削して、前記第１端末処理部材と組み合わせ可能な凸形状を有する第３端末処理部材を形成して端部処理する端部処理工程と、を備えた木質ボードの製造方法。
【発明の詳細な説明】
【技術分野】
【０００１】
本発明は、木質ボード及びその製造方法に関する。更に詳しくは、バインダで植物性材料を集成接着してなる芯材層と、その一面に積層された木材のスライス板と、を備える木質ボード及びその製造方法に関する。
【背景技術】
【０００２】
従来、バインダを用いて植物性材料を集成接着してなるコア層を有する木質ボードが知られている。この木質ボードでは、その集成接着された植物性材料が外から見えないように、外表面を化粧層で覆って利用されることがある。このような化粧層を備えた木質ボードとしては下記特許文献１及び下記特許文献２の技術が知られている。
【先行技術文献】
【特許文献】
【０００３】
【特許文献１】特開平９−３１７３３４号公報
【特許文献２】特開平９−２５６７４６号公報
【発明の概要】
【発明が解決しようとする課題】
【０００４】
しかし、化粧層を備え得た木質ボードの２枚以上を、それらの側端同士で突き合わせ、並べて利用しようとすると、その側端部の見栄えが問題となることがある。
例えば、図２１に示すように、植物材料が集成接着された層５５とその表面を覆う化粧層５２とを有する木質ボード５１、及び、植物材料が集成接着された層５６とその表面を覆う化粧層５４とを有する木質ボード５３を、各々の側端を突き合わせて並べる。このように並べると、化粧層５２及び５４を備えるにも関わらず、実際には、視線Ｅ１の側からも、視線Ｅ２の側からも、付き合わせた隙間から内部の層５５及び層５６は見えてしまうという問題がある。
【０００５】
本発明は、上記実情に鑑みてなされたものであり、木質ボードの側端の見栄えを向上させることができる木質ボード及びその製造方法を提供することを目的とする。
【課題を解決するための手段】
【０００６】
上記問題を解決するために、請求項１に記載の木質ボードは、植物性材料をバインダにより集成接着した板状の芯材層と、
前記芯材層の一面に積層された木材のスライス板と、を備えた木質ボードであって、
本木質ボードの一側端には、一面側から所定深さまで切りかかれた第１切り欠き部があり、
前記第１切り欠き部は、その断面が略四角形状をなし、
前記第１切り欠き部には、その切り欠き形状に沿う形態で、角柱状の第１木材を削ることによって形成された断面略Ｌ字状の第１端末処理部材が配されており、
前記一側端と反対側の他側端には、一面側から所定深さまで切りかかれた第２切り欠き部があり、
前記第２切り欠き部は、その断面が略四角形状をなし、
前記第２切り欠き部には、その切り欠き形状に沿う形態で、角柱状の第２木材を削ることによって形成された断面略Ｌ字状の第２端末処理部材が配されていることを要旨とする。
請求項２に記載の木質ボードは、請求項１に記載の木質ボードにおいて、前記一側端と反対側の他側端は、前記第１端末処理部材により処理された前記一側端の段状の形状に組み合わせ可能な段状の形状であることを要旨とする。
請求項３に記載の木質ボードは、植物性材料をバインダにより集成接着した板状の芯材層と、
前記芯材層の一面に積層された木材のスライス板と、を備えた木質ボードであって、
本木質ボードの一側端には、一面側から所定深さまで切りかかれた第１切り欠き部があり、
前記第１切り欠き部は、その断面が略四角形状をなし、
前記第１切り欠き部には、その切り欠き形状に沿う形態で、角柱状の第１木材を削ることによって形成された断面略Ｌ字状の第１端末処理部材が配されており、
前記一側端と反対側の他側端には、前記第１端末処理部材と組み合わせ可能な凸形状を有する第３端末処理部材を有し、前記第３端末処理部材は角柱状の無垢材からなることを要旨とする。
請求項４に記載の木質ボードは、請求項３に記載の木質ボードにおいて、前記第３端末処理部材のうちの前記一端側の端部は、前記芯材層に埋設されていることを要旨とする。
請求項５に記載の木質ボードの製造方法は、
木材のスライス板の端部に、角柱状の第１木材を配置する木材配置工程と、
前記スライス板及び前記第１木材上に、バインダを含む植物性材料を載せる載積工程と、
前記バインダを含む植物性材料を圧縮して、植物性材料をバインダにより集成接着した板状の芯材層を形成し、板状体とする板状体作製工程と、
前記板状体の端部において、前記第１木材を断面略Ｌ字状になるように切削しつつ、前記板状体の端部に段状部を形成して端部処理する端部処理工程と、を備えることを要旨とする。
請求項６に記載の木質ボードの製造方法は、
木材のスライス板の一端部に、角柱状の第１木材を配置し、一端部とは反対側の他端部に、角柱状の第２木材を配置する木材配置工程と、
前記スライス板、前記第１木材及び前記第２木材上に、バインダを含む植物性材料を載せる載積工程と、
前記バインダを含む植物性材料を圧縮して、植物性材料をバインダにより集成接着した板状の芯材層を形成し、板状体とする板状体作製工程と、
前記板状体の一端部及び他端部において、前記第１木材及び前記第２木材を断面略Ｌ字状になるように切削しつつ、前記板状体の一端部及び他端部に段状部を形成して端部処理する端部処理工程と、を備えることを要旨とする。
請求項７に記載の木質ボードの製造方法は、
木材のスライス板の一端部に、角柱状の第１木材を配置し、一端部とは反対側の他端部に、角柱状の第２木材を配置する木材配置工程と、
前記スライス板、前記第１木材及び前記第２木材上に、バインダを含む植物性材料を載せる載積工程と、
前記バインダを含む植物性材料を圧縮して、植物性材料をバインダにより集成接着した板状の芯材層を形成し、板状体とする板状体作製工程と、
前記板状体の一端部において、前記第１木材を断面略Ｌ字状になるように切削しつつ、前記板状体の端部に段状部を形成し、更に、前記板状体の他端部において、前記芯材層を切削して、前記第１端末処理部材と組み合わせ可能な凸形状を有する第３端末処理部材を形成して端部処理する端部処理工程と、を備えることを要旨とする。
【発明の効果】
【０００７】
請求項１の木質ボードは、植物性材料をバインダにより集成接着した板状の芯材層と、芯材層の一面に積層された木材のスライス板と、を備える。そして、本木質ボードの一側端には、一面側から所定深さまで切りかかれた第１切り欠き部があり、第１切り欠き部は、その断面が略四角形状をなす。第１切り欠き部には、その切り欠き形状に沿う形態で、角柱状の第１木材を削ることによって形成された断面略Ｌ字状の第１端末処理部材が配されている。
このような構成とされていると、木質ボードの一側端では、角柱状の第１木材を削ることによって形成された断面略Ｌ字状の第１端末処理部材によって、覆われている。よって、木質ボードの一側端の見栄えが向上する。
【０００８】
請求項２の木質ボードでは、一側端と反対側の他側端には、一面側から所定深さまで切りかかれた第２切り欠き部があり、第２切り欠き部は、その断面が略四角形状をなしている。そして、第２切り欠き部には、その切り欠き形状に沿う形態で、角柱状の第２木材を削ることによって形成された断面略Ｌ字状の第２端末処理部材が配されている。
このような構成とされていると、木質ボードの他側端では、角柱状の第２木材を削ることによって形成された断面略Ｌ字状の第２端末処理部材によって、覆われている。よって、木質ボードの他側端の見栄えが向上する。
【０００９】
請求項３の木質ボードでは、一側端と反対側の他側端は、第１端末処理部材により処理された一側端の段状の形状に組み合わせ可能な段状の形状とされている。
このような構成とされていると、複数の木質ボードを組み合わせることが容易となり、大面積への施工が可能となる。
【００１０】
請求項４の木質ボードの製造方法によれば、木質ボードの一側端の見栄えを向上させるための、端末処理が施された木質ボードを容易に製造できる。
【図面の簡単な説明】
【００１１】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】本木質ボードの一例を説明する斜視図である。
【図２】本木質ボードの一例を説明する分解斜視図である。
【図３】第１端末処理部材の形成過程を説明する断面図である。
【図４】第１端末処理部材同士を組み合わせた状態を説明する断面図である。
【図５】本木質ボードの他例を説明する斜視図である。
【図６】本木質ボードの他例を説明する分解斜視図である。
【図７】第１端末処理部材及び第２端末処理部材の形成過程を説明する断面図である。
【図８】第１端末処理部材と第１端末処理部材とを組み合わせた状態を説明する断面図である。
【図９】本木質ボードの更に他例を説明する斜視図である。
【図１０】本木質ボードの更に他例を説明する分解斜視図である。
【図１１】第１端末処理部材及び第３端末処理部材の形成過程を説明する断面図である。
【図１２】第１端末処理部材と第３端末処理部材とを組み合わせた状態を説明する断面図である。
【図１３】第１端末処理部材と第３端末処理部材とを組み合わせた状態を説明する断面図である。
【図１４】本木質ボードの更に他例を説明する断面図である。
【図１５】本木質ボードの製造方法における木材配置工程を説明する斜視図である。
【図１６】本木質ボードの製造方法における載積工程を説明する斜視図である。
【図１７】本木質ボードの製造方法における板状体作製工程を説明する斜視図である。
【図１８】本木質ボードの製造方法における反転工程を説明する斜視図である。
【図１９】本木質ボードの製造方法における端部処理工程を説明する斜視図である。
【図２０】本木質ボードの更に他例を説明する断面図である。
【図２１】端末処理されていない木質ボードの繋ぎ目について説明する説明図である。
【発明を実施するための形態】
【００１２】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
本発明について以下詳細に説明する。
［１］木質ボード
本発明の木質ボード（１）（図１及び図２参照）は、植物性材料をバインダにより集成接着した板状の芯材層（３）を備える。更に、芯材層（３）の一面（３Ｆ）に積層された木材のスライス板（４Ｆ）を備える。そして、本発明の木質ボード（１）の一側端には、一面（３Ｆ）側から所定深さまで切りかかれた第１切り欠き部（５）（以下、「第１切欠部」ともいう）があり、この第１切欠部（５）は、その断面が略四角形状をなしている。そして、第１切欠部（５）には、その切り欠き形状に沿う形態で断面略Ｌ字状の第１端末処理部材（９）が配されている。また、第１端末処理部材（９）は、角柱状の第１木材（７）を削ることによって形成されている（図３参照）。
【００１４】
この第１端末処理部材（９）が配されていることにより、芯材部（３）のその一側端が覆われる。そして、この部位において、植物性材料が集成接着された芯材部（３）を見えなくすることができる（図１参照）。これにより、木質ボード（１）の一側端における見栄えを向上させることができる。更に、第１端末処理部材（９）は、角柱状の第１木材（７）を削ることによって形成された無垢材である。このため美観に優れている。この点において、更に、木質ボード（１）の一側端における見栄えを向上させることができる。
【００１５】
また、第１端末処理部材（９）は、断面略Ｌ字状の形状をなしている。即ち、木質ボード（１）の一側端は、第１端末処理部材（９）を有することによって、段状の形状をなしている。この段状の形状をなすことで、２枚の木質ボード（１）を、これらの側端同士で組み合わせて配置することができる。
具体的には、図４に示すように、一方の木質ボード（１）を表向き（スライス板４Ｆが表面側に位置）に載置し、他方の木質ボード（１’）を裏向き（スライス板４Ｆが裏面側に位置）に載置し、互いの木質ボード（１及び１’）の第１端末処理部材（９）同士を組み合わせることができる。このように、木質ボード（１）の一側端が段状の形状をなすことで、２枚の木質ボード（１）を組み合わせることが容易となり、大面積への施工が可能となっている。
【００１６】
更に、木質ボード（１）同士を組み合わせた場合に、その組み合わせ部位における見栄えを向上させることができる。この点について説明すると、図２１に示すように、端末処理されていない（断面略Ｌ字状の端末処理部材を備えていない）２枚の木質ボード（５１及び５３）を、それらの化粧層（５２及び５４）が表側へ向くように側端を付き合わせて並べる。そして、これらの突き合わせた部分を表側から見ると、視線Ｅ１の側からも、視線Ｅ２の側からも、化粧層（５２及び５４）の間隙から集成接着された植物材料（５５及び５６）が視認できてしまう。これに対して、本発明の木質ボード（１）では（図４参照）、第１端末処理部材（９）によって覆われた部分の芯材層（３）は見えなくなっている。従って、視線Ｅ１の側からは、芯材部（３）が見えなくなっており、木質ボード（１）の側端の見栄えを向上させることができる。
【００１７】
また、本発明の木質ボード（１）では、第１端末処理部材（９）を備えた一側端とは反対側の他側端も、同様に端末処理された形態とすることができる（図５及び図６参照）。即ち、図５及び図６に示すように、木質ボード（１）は、第１端末処理部材（９）を備えたうえで、他側端に対応する第２端末処理部材（１１）を備えることができる。この場合、芯材層（３）は、その一面（３Ｆ）側から所定深さまで切りかかれ、断面が略四角形状の第２切り欠き部（１３）（以下、「第２切欠部」ともいう）を備える。そして、この第２切欠部（１３）の切り欠き形状に沿う形態で、断面略Ｌ字状の第２端末処理部材（１１）を備える。この第２端末処理部材（１１）は、角柱状の第２木材（１５）を削ることによって形成されている（図７参照）。
【００１８】
このように、１枚の木質ボード（１）が、その一側端に第１端末処理部材（９）を備え、一側端とは反対側の他側端に、第２端末処理部材（１１）を備える場合には、この１種類の形状の木質ボード（１）のみを利用して、複数の木質ボード（１）を組み合わせて用いることができる。
具体的には、図８に示すように、表向き（スライス板４Ｆが上面側に位置）の木質ボード（１）に隣接させて、裏向き（スライス板４Ｆが裏面側に位置）の木質ボード（１’）を組合せることにより、１種の形状の木質ボード（１）のみを利用して、複数枚の木質ボード（１）を組み合わせて大面積を得ることができる。即ち、大面積への施工が可能となる。
【００１９】
また、本発明の木質ボード（１）では、第１端末処理部材（９）を備えた一側端とは反対側の他側端を、第１端末処理部材（９）による段状の形状（以下、単に「第１段形状」という）に組み合わせ可能な段状の形状（以下、単に「第２段形状」という）にすることができる。このような形態としては、図１４に示される形態の木質ボード（１Ｄ）が挙げられる。即ち、他側端に、第１端末処理部材（９）と組合せが可能な形状の切り欠き（１７）を備えた木質ボード（１Ｄ）である。また、図７を用いて前述した第２端末処理部材（１２）を備えた形態の木質ボード（１Ｂ）も含まれる。
更に、その他に、図９−図１２に例示される形態の木質ボード（１Ｃ）が挙げられる。図９−図１２に例示される木質ボード（１Ｃ）は、第１端末処理部材（９）を備えた一側端とは反対側の他側端において、芯材層（３）の一部を削って、第３端末処理部材（１９）として角柱状の第２木材（１５）を露出させた木質ボード（１Ｃ）である（図１１参照）。この木質ボード（１Ｃ）では、上記のように、芯材層（３）の一部を削る際に、角柱状の第２木材（１５）の一部を削ってもよい。
【００２０】
即ち、図９及び図１０に示す木質ボード（１Ｃ）は、一側端には、芯材層（３）が、その一面（３Ｆ）側から所定深さまで切りかかれ、その断面が略四角形状をなす第１切欠部（５）がある。そして、第１切欠部（５）には、その切り欠き形状に沿う形態で断面略Ｌ字状の第１端末処理部材（９）が配されている。更に、この第１端末処理部材（９）は、角柱状の第１木材（７）を削ることによって形成されている（図１１参照）。
一方、一側端とは反対側の他側端には、一側端の第１端末処理部材（９）による段状の形状と組み合わせ可能な凸形状を有する第３端末処理部材（１９）を有する。この第３端末処理部材（１９）は、角柱状の第２木材（１５）を用いた無垢材からなっている。具体的には、図１１に示すように、第１端末処理部材（９）による段状の形状と組み合わせ可能な凸形状が露出されるように、芯材層（３）を削って形成される。この際に、必要に応じて、角柱状の第２木材（１５）の一部を削り、第２木材（１５）から対応する凸形状を削り出すこともできる。
【００２１】
このように、一側端に第１端末処理部材（９）を備え、且つ、他側端に第３端末処理部材（１９）を備えた木質ボード（１Ｃ）は、この１種の形状の木質ボード（１Ｃ）のみを用いて、複数の木質ボード（１Ｃ）を組み合わせることができる。即ち、図１２に示すように、表向き（スライス板４Ｆが上面側に位置）の木質ボード（１）に隣接させて、表向き（スライス板４Ｆが上面側に位置）の木質ボード（１’）を組合せることにより、１種の形状の木質ボード（１Ｃ）のみを利用して、複数枚の木質ボード（１Ｃ）を組み合わせることができる。これにより大面積への施工が可能となる。
【００２２】
更に、第１端末処理部材（９）及び第３端末処理部材（１９）を１枚の木質ボードが備えている木質ボード（１Ｃ）は、これらの木質ボード（１Ｃ）同士の繋ぎ目において、とりわけ優れた見栄えを得ることができる。即ち、図１３に示すように、第１端末処理部材（９）によって覆われた部分の芯材層（３）は見えなくなっており、視線Ｅ１の側から、芯材部（３）が見えなっている。加えて、第３端末処理部材（１９）によって覆われた部分の芯材層（３）も見えなくなっており、視線Ｅ２の側からも、芯材部（３）が見えなくなっている。即ち、一面側のどの角度から見ても、木質ボード（１）同士の繋ぎ目において、芯材層（３）が見えなくなっており、優れた見栄えを得ることができる。
【００２３】
上述した各種の木質ボード（１）、即ち、木質ボード（１Ａ）、木質ボード（１Ｂ）、木質ボード（１Ｃ）、木質ボード（１Ｄ）は、各々その側端を組み合わせて用いることができる。即ち、例えば、木質ボード（１Ａ）と木質ボード（１Ｂ）、木質ボード（１Ａ）と木質ボード（１Ｃ）、木質ボード（１Ｂ）と木質ボード（１Ｃ）、木質ボード（１Ａ）と木質ボード（１Ｂ）と木質ボード（１Ｃ）等の組合せで用いることができる。
更に、図２０に示す木質ボード（５０）を併用することもできる。木質ボード（５０）は、本発明の木質ボード（１）には含まれないが、木質ボード（Ｃ）が備える第３端末処理部材（１９）をその両側端に備えた形態の木質ボードである。
【００２４】
本発明の木質ボード（１）では、スライス板（４）は、芯材層（３）の一面（３Ｆ）にのみ積層されてもよいが、芯材層（３）の裏面（一面３Ｆとは反対側の面）にも積層できる。即ち、芯材層（３）の一面（３Ｆ）にスライス板（４Ｆ）が積層され、且つ、裏面にスライス板（４Ｒ）が積層された形態の本木質ボード（１）とすることができる。
また、一面側のスライス板（４Ｆ）と第１端末処理部材（９）とは異種の木材から形成されてもよいが、同種の木材であることが、見栄えの観点から好ましい。同様に、裏面にスライス板（４Ｒ）を備える場合には、裏面にスライス板（４Ｒ）と第１端末処理部材（９）とは異種の木材から形成されてもよいが、同種の木材であることが好ましい。更に、第２端末処理部材（１１）を備える場合、第３端末処理部材（１９）を備える場合、にも各々において同様である。
これら、スライス板（４Ｆ及び４Ｒ）、第１端末処理部材（９）、第２端末処理部材（１１）を備える場合、及び、第３端末処理部材（１９）は、どのような木材から形成されてもよく、木材の種類は制限されない。
【００２５】
また、芯材層（３）を構成する植物性材料は、植物に由来する材料であり、植物そのもの、植物から切り出したその一部、植物から取りだした繊維等が含まれる。
植物としては、ケナフ、ヘンプ、ジュート麻、マニラ麻、サイザル麻、雁皮、三椏、楮、バナナ、パイナップル、ココヤシ、トウモロコシ、サトウキビ、バガス、ヤシ、パピルス、葦、エスパルト、サバイグラス、麦、稲、竹、各種針葉樹（スギ及びヒノキ等）、広葉樹及び綿花等の各種植物が挙げられる。これらは１種のみを用いてもよく２種以上を併用してもよい。
【００２６】
これらの植物のなかでは、靭皮植物が好ましい。一般に靭皮植物は、成長が早く、優れた二酸化炭素吸収性を有するため、大気中の二酸化炭素量の削減、森林資源の有効利用等に貢献できるからである。更に、靭皮植物のなかでもケナフが好ましく、更には、ケナフのコアが最も好ましい。ケナフのコアは、他の植物に比べて比重が小さいため、軽い芯材層（３）を成形することができる。このため、木質ボード（１）に利用した場合に、他の植物材料を利用する場合に比べて軽量な木質ボードを得ることができる。用いる植物性材料の形態は特に限定されず、フレーク、チップ、繊維及び粉末等が挙げられる。
【００２７】
更に、芯材層（３）を構成するバインダは、植物性材料を集成して接着することができればどのような材料であってもよいが、熱硬化性樹脂が好ましい。この熱硬化性樹脂の種類は特に限定されない。例えば、有機ポリイソシアネート系熱硬化性樹脂、ホルムアルデヒド系熱硬化性樹脂、エポキシ系熱硬化性樹脂等が挙げられる。有機ポリイソシアネート系熱硬化性樹脂としては、ジフェニルメタンジイソシアネート、ポリメチレンポリフェニレンポリイソシアネート、これらの変性物を用いた有機ポリイソシアネートが挙げられる。また、ホルムアルデヒド系熱硬化性樹脂としては、ホルムアルデヒドを用いた、尿素樹脂、メラミン樹脂、多価フェノール樹脂等が挙げられる。これらは１種のみを用いてもよく２種以上を併用してもよい。
尚、芯材層（３）には、植物性材料及びバインダ以外にも、必要に応じて、硬化剤、撥水剤、難燃剤、防虫剤、防腐剤等を配合できる。
【００２８】
本木質ボード（１）における芯材層（３）及びスライス板（４）の各々厚さは特に限定されないが、通常、スライス板（４）に比べて芯材層（３）は厚く形成されている。即ち、芯材層（３）の厚さをＤＡとし、スライス板（４）の厚さをＤＢとした場合に、ＤＡ＞ＤＢである。この厚さの相関は、０．０１≦ＤＢ／ＤＡ＜１であることが好ましく、０．０１≦ＤＢ／ＤＡ≦０．１であることがより好ましく、０．０５≦ＤＢ／ＤＡ≦０．１であることが特に好ましい。更に、ＤＢは、例えば、０．１≦ＤＢ（ｍｍ）≦２．０とすることができる。
【００２９】
［２］木質ボードの製造方法
本発明の木質ボードの製造方法は、木材配置工程と、載積工程と、板状体作製工程と、端部処理工程と、を備える。
【００３０】
上記木材配置工程（図１５参照）は、木材のスライス板（４）の端部に、角柱状の第１木材（７）を配置する工程である。この工程では、図１に示した木質ボード（１Ａ）を製造する場合には、角柱状の第１木材（７）のみを配置する。一方、図５に示した木質ボード（１Ｂ）及び図９に示した木質ボード（１Ｃ）を製造する場合には、角柱状の第１木材（７）に加えて、角柱状の第２木材（１５）を配置する。
【００３１】
上記載積工程（図１６参照）は、スライス板（４）及び第１木材（７）上に、バインダを含む植物性材料（２１）を載せる工程である。
この工程では、植物性材料（２１）をどのような形態で用いてもよいが、細分化された状態の植物性材料（２１）を用いることが好ましい。具体的には、チップ状、繊維状及び粉末状の植物性材料（２１）が好ましい。
また、植物性材料（２１）を集成接着するバインダは、どのようにして用いてもよい。例えば、バインダが付着された状態の植物性材料（２１）を用いることができる。また、植物性材料（２１）とバインダとが混ざり合うように、植物性材料（２１）の載積時に同時にバインダを載積してもよい。
【００３２】
上記板状体作製工程（図１７）は、バインダを含む植物性材料（２１）を圧縮して、植物性材料（２１）をバインダにより集成接着した板状の芯材層（３）を形成する工程である。この工程では、スライス板（４）、第１木材（７）及び芯材層（３）を含む板状体（２３）が形成される。尚、板状体（２３）には、この時点までに用いられた各部材が含まれることとなる。即ち、図１７に示すように、第２木材（１５）を用いる場合には、板状体（２３）には、第２木材（１５）が含まれる。
また、必要に応じて芯材層（３）の裏面（３Ｒ）には、スライス板（４Ｒ）を積層できる。この場合、図１６及び図１７に示すように、載積された植物性材料（２１）上にスライス板（４Ｒ）を重ね、このスライス板（４Ｒ）を他部とともに圧縮する。このようにして、得られた板状体（２３）には、スライス板（４Ｒ）が含まれる。
【００３３】
上記端部処理工程（図１９）は、板状体（２３）の端部において、第１木材（７）を断面略Ｌ字状になるように切削しつつ、板状体（２３）の端部に段状部を形成して端部処理する工程である。即ち、第１端末処理部材（９）を形成する工程である。図１９は、図１１の斜視図に相当し、図９−図１０の木質ボード（１Ｃ）を得るための端部処理工程を示す。即ち、板状体の一側端では、第１木材（７）を切削して、断面略Ｌ字状の第１端末処理部材（９）を得る。一方、板状体の一側端に対する反対側の他側端では、芯材層（３）を切削して、第１端末処理部材（９）と組み合わせ可能な凸形状を有する第３端末処理部材（１９）を得る。尚、端部処理工程（図１９）を行う際には、図１８に示すように、板状体（２３）の表裏を反転させる反転工程を行うことができる。
【００３４】
本方法により得られる木質ボード（１）の形状、大きさ及び厚さ等は特に限定されない。また、その用途も特に限定されない。これらは、例えば、建築物及び家具等における内装材及び外装材等として利用できる。より具体的には、ドア表装材、各種家具（机、椅子、棚、箪笥など）の表装材、パーテーション部材等が挙げられる。また、自動車、鉄道車両、船舶及び飛行機等の内装材及び外装材等としても用いることもできる。
【実施例】
【００３５】
以下、実施例により本発明を具体的に説明する。
［１］実施形態１
（１）植物性材料調製工程
丸棒形状のケナフコアを長さ３０ｍｍに切断した後、ナイフリングフレーカーを用いて、フレーク状（厚さ約０．５ｍｍのスライスチップ）に裁断した。得られたフレーク状のケナフコア（フレーク状にする際に含まれたケナフコアの粉末を含んでいる）に、熱硬化性樹脂接着剤（バインダ）をスプレー塗布して、バインダが付着された植物性材料２１を得た。
【００３６】
（２）木材配置工程
図１５に示すように、ヒノキ板４Ｆ（スライス板）の端部に、四角断面を有する角柱状の第１木材７と、同形状の第２木材１５と、を配置した。
【００３７】
（３）載積工程
図１６に示すように、上記（１）で得られたバインダが付着された植物性材料２１に対して、上記（２）で得られた第１木材７及び第２木材１５が端部に配置されたスライス板４Ｆを下に置いた。そして、上方から植物性材料２１を振り掛けるようにして、第１木材７、第２木材１５及びスライス板４Ｆ上に載積した。
【００３８】
（４）スライス板配置工程
図１６に示すように、上記（３）までに載積された植物性材料２１上に、ヒノキ板４Ｒ（スライス板）を配置した。
【００３９】
（５）板状体作製工程
図１７に示すように、上記（４）までに得られた積層体を、ヒノキ板４Ｒの上方から加熱圧縮した。このようにして、スライス板４の厚さが１ｍｍであり、芯材層３の厚さが１３ｍｍである板状体２３を得た。この際に、植物性材料２１は、加熱圧縮によって集成されるとともに、バインダ（熱硬化性樹脂）によって互いに接着されて芯材層３となる。また、同時に芯材層３はスライス板４Ｆ及びスライス板４Ｒとも接着されて板状体２３となる。
【００４０】
（６）反転工程
図１８に示すように、上記（５）までに得られた板状体２３の表裏を反転させて、スライス板４Ｆが上方を向くように配置した。
【００４１】
（７）端部処理工程
図１９に示すように、上記（６）までに得られた板状体２３の一側端に、断面略Ｌ字形状の部材が残存されるように、第１木材７をスライス板４Ｆとともに切削して、第１端末処理部材９を形成した。
更に、板状体２３の一側端に対する反対側の他側端で、芯材層３を切削して、第１端末処理部材９と組み合わせ可能な凸形状を有する第３端末処理部材１９を形成して（図１１参照）、木質ボード１（１Ｃ）を得た。
【００４２】
（８）木質ボードの組合せ
上記（７）までに得られた木質ボード１Ｃ同士を、図１２に示すように組み合わせた。即ち、全ての木質ボード１が、スライス板４Ｆを表面にして並ぶように、第１端末処理部材９と第３端末処理部材１９とを組み合わせた。その結果、木質ボード１が連接されてなる大面積の板が得られた。
更に、得られた大面積の板において、木質ボード１同士の繋ぎ目を、図１３に示すように、スライス板４Ｆの上方から角度を変えて視認した。その結果、いずれの角度においても、木質ボード１の繋ぎ目から芯材層３は見えず、優れた見栄えが得られた。
【００４３】
前述の例は単に説明を目的とするものでしかなく、本発明を限定するものと解釈されるものではない。本発明を典型的な実施形態の例を挙げて説明したが、本発明の記述及び図示において使用された文言は、限定的な文言ではなく説明的及び例示的なものであると理解される。ここで詳述したように、その形態において本発明の範囲又は精神から逸脱することなく、添付の特許請求の範囲内で変更が可能である。ここでは、本発明の詳述に特定の構造、材料及び実施例を参照したが、本発明をここに掲げる開示事項に限定することを意図するものではなく、むしろ、本発明は添付の特許請求の範囲内における、機能的に同等の構造、方法、使用の全てに及ぶものとする。
【符号の説明】
【００４４】
１、１’、１Ａ、１Ｂ、１Ｃ；木質ボード、３；芯材層、３Ｆ；芯材層の一面、４、；スライス板、４Ｆ；一面側のスライス板、４Ｒ；裏面側のスライス板、５；第１切欠部、７；第１木材、９；第１端末処理部材、１１；第２端末処理部材、１３；第２切欠部、１５；第２木材、１７；第１端末処理部材と組合せ可能な切欠部、１９；第３端末処理部材、２１；植物性材料、２３；板状体、５０；両側端に第３端末処理部材を備える木質ボード。
【図１】
0006482071.tif 000002
【図２】
0006482071.tif 000003
【図３】
0006482071.tif 000004
【図４】
0006482071.tif 000005
【図５】
0006482071.tif 000006
【図６】
0006482071.tif 000007
【図７】
0006482071.tif 000008
【図８】
0006482071.tif 000009
【図９】
0006482071.tif 000010
【図１０】
0006482071.tif 000011
【図１１】
0006482071.tif 000012
【図１２】
0006482071.tif 000013
【図１３】
0006482071.tif 000014
【図１４】
0006482071.tif 000015
【図１５】
0006482071.tif 000016
【図１６】
0006482071.tif 000017
【図１７】
0006482071.tif 000018
【図１８】
0006482071.tif 000019
【図１９】
0006482071.tif 000020
【図２０】
0006482071.tif 000021
【図２１】
0006482071.tif 000022